(57)【要約】【課題】既存の床暖房コントローラに適用可能で、かつ、複数の温水マット温度を同時に検知可能な床暖房システム試運転装置を提供する。【解決手段】試運転開始と同時に、中継器４から床暖コンローラ３に対して擬似温度信号（代表初期温度Ｔ０に該当する抵抗値）が送信される（ステップＳ１０３）。初期値取込後、所定のインターバルで各センサの温度検知値が入力部４ｅに取り込まれる（ステップＳ１０７）。さらに、試運転開始から制限時間（例えば1時間）を経過したかが判定される（ステップＳ１０８）。制限時間以内の場合には、全てのセンサ温度検知値が（Ｔi０＋３）℃を超えたかが判定される（ステップＳ１１０）。閾値以下の場合には、該当する表示部のＬＥＤが点滅表示される（ステップＳ１１３）。全てのセンサ温度が昇温条件を満たすときは試運転正常終了と判定され、試運転完了表示部１１ｇのＬＥＤが点灯する（ステップＳ１１１）。さらに、出力部４ｃから床暖房コントローラ３に対して擬似温度信号（Ｔ０＋３）が送信される（ステップＳ１１２）。【選択図】図１
2006098008.tif 000002
【特許請求の範囲】
【請求項１】
床表面温度を検出する一又は複数の温度センサと、床温測定用ジャックを備えた床暖房コントローラと、温度センサと床暖房コントローラ間に介在し、各温度センサから取り込んだ検出値情報に基づいて床暖房システムの状態を判定し、前記床温測定用ジャックを介して判定結果を床暖房コントローラに送出する中継装置と、を含む床暖房システム試運転装置であって、
前記中継装置は、
試運転開始時に、床暖房コントローラに対して代表初期温度（Ｔ０）に該当する信号を送出する手段と、
試運転開始時に、前記温度センサのうち稼動不良の温度センサを特定して表示する手段と、
試運転開始直後における各温度センサの初期温度（Ｔｉ０）を記憶する手段と、
前記初期温度（Ｔｉ０）から予め定めた閾値（ΔＴ）以上上昇した温度センサを特定して表示する手段と、
全ての温度センサの検出温度が、予め定めた所定時間以内に、前記初期温度（Ｔｉ０）から前記閾値（ΔＴ）以上上昇したときに、床暖房コントローラに対して（Ｔ０＋ΔＴ）に該当する信号を送出する手段と、
を備えて成ることを特徴とする床暖房システム試運転装置。
【請求項２】
前記閾値（ΔＴ）を可変に構成したことを特徴とする請求項１に記載の床暖房試運転装置。
【発明の詳細な説明】
【技術分野】
【０００１】
本発明は床暖房システム試運転装置に係り、特に、既存の床暖房コントローラを用いた温水式床暖房システムに好適な床暖房システム試運転装置に関する。
【背景技術】
【０００２】
従来、温水等の熱媒循環を用いた床暖房システムにおいては、温水マットに温水を供給する温水配管と、床暖房コントローラと熱源機間を結ぶ配線とは別経路で施工されるため、誤配管、誤配線などのおそれがある。このため、試運転時に誤配管や配管閉塞等の施工不良を確認するため、各温水マットの床温をサーミスタ等のセンサで測定し、その結果を床暖房コントローラに入力する。床暖房コントローラは、サーミスタが所定の時間内に所定の温度に上昇すると、施工正常と判定する。従って、試運転作業者は床暖房コントローラをモニターすることにより施工の判定が可能となる。
【０００３】
しかしながら、既存の床暖房コントローラには床温測定用センサ用ジャックが一つしか設けられていないため、１台の床暖房コントローラに対して複数枚の温水マットが敷設されている場合には、温水マットごとに床温の測定を繰り返す必要があり、煩に耐えないという問題があった。この問題を解決するため、本出願人は複数の床温センサの検知値を同時に取り込んで、システムの施工状態を自動的に判定する技術を開示している（特許文献１参照）。
【特許文献１】特開２０００−１２１０７７公報
【発明の開示】
【発明が解決しようとする課題】
【０００４】
本発明は、特許文献１で提案されたアイデアを具体的に実現するためのものであって、既存の床暖房コントローラに適用可能で、かつ、複数の温水マット温度を同時に検知可能な床暖房システム試運転装置を提供するものである。
【課題を解決するための手段】
【０００５】
本発明は以下の内容をその要旨とする。すなわち、
（１）床表面温度を検出する一又は複数の温度センサと、床温測定用ジャックを備えた床暖房コントローラと、温度センサと床暖房コントローラ間に介在し、各温度センサから取り込んだ検出値情報に基づいて床暖房システムの状態を判定し、前記床温測定用ジャックを介して判定結果を床暖房コントローラに送出する中継装置と、を含む床暖房システム試運転装置であって、中継装置は、試運転開始時に床暖房コントローラに対して代表初期温度（Ｔ０）に該当する信号を送出する手段と、試運転開始時に前記温度センサのうち稼動不良の温度センサを特定して表示する手段と、試運転開始直後における各温度センサの初期温度（Ｔｉ０）を記憶する手段と、前記初期温度（Ｔｉ０）から予め定めた閾値（ΔＴ）以上上昇した温度センサを特定して表示する手段と、全ての温度センサの検出温度が、予め定めた所定時間以内に、前記初期温度（Ｔｉ０）から前記閾値（ΔＴ）以上上昇したときに、床暖房コントローラに対して（Ｔ０＋ΔＴ）に該当する信号を送出する手段と、を備えて成ることを特徴とする床暖房システム試運転装置。
【０００６】
従来の床暖房コントローラは、試運転開始時の床面温度（初期値）から所定温度の上昇を確認すると温水循環が正常に行われていると判定する。これに対して、本発明では、複数の床温センサの温度上昇を１台の中継器に取り込み、各センサの温度上昇を中継器において確認し、全ての床温センサが予め定めた閾値を超えたと判定すると、床暖コンローラに擬似温度信号を送信する。これにより、床暖房コントローラをモニターすることにより試運転が正常に終了したことを確認することができる。
【０００７】
（２）前記閾値（ΔＴ）を可変に構成したことを特徴とする（１）に記載の床暖房試運転装置。
閾値（ΔＴ）を可変にすることにより、温水マットの種類、部屋の大きさ、建築種類、熱源機種類等により最適な閾値を設定することができ、より正確な判定が可能となる。
【発明の効果】
【０００８】
本発明によれば、複数枚の温水マットが正しく施工されているか、温水が正常に供給されているかを、１台の床暖房コントローラで自動的に判定することができる。
また、中継器に温水温度上昇の有無を知らせる表示手段を設けたことにより、不具合の生じた温水マットを容易に特定することができる。
【発明を実施するための最良の形態】
【０００９】
以下、本発明に係る床暖房システム試運転装置の実施形態について、図１乃至４を参照してさらに詳細に説明する。重複を避けるため、各図において同一構成には同一符号を用いて示している。なお、本発明の範囲は特許請求の範囲記載のものであって、以下の実施形態に限定されないことはいうまでもない。
【００１０】
図１は、本発明の一実施形態に係る床暖房システム試運転装置１の全体構成を示す図である。床暖房システム試運転装置１は、温水を供給する熱源機２と、温水マット５，６と、温水マット５，６表面に置かれる床温センサ（サーミスタ）７，８と、床温センサ７，８の検知値を取り込んで温水マット５，６の温度上昇状況を判定する中継器４と、中継器４の判定結果を取り込む床暖コンローラ３と、熱源機２と温水マット５，６とを結び、温水を循環させる温水配管Ｌ１乃至Ｌ６と、各装置間の信号授受を仲介する信号線Ｃ１乃至Ｃ４と、を備えている。なお、同図では温水マットは２系統の例を示しているが、さらに多くの系統とすることもできる。
【００１１】
図２は、中継器４の制御ブロックを示す図である。中継器４の制御ブロックは、床温センサ７，８から送られる温度検知値を入力ポートを介して取り込む入力部４ａと、床温センサ検知値をモニターして温度上昇判定を行う判定部４ｂと、判定結果に基づいて床暖房コントローラ３に信号出力する出力部４ｄと、各床温センサの温度上昇状態に対応する表示を行う表示部４ｇと、判定温度の閾値入力設定等を行う入力部４ｅと、床温センサから送られる温度検知値を格納する記憶部４ｆと、床温センサ検知値を取り込む入力ポート９ａ乃至９ｆと、を主要構成とする。ここに、床暖房コントローラ３は、１系統のみからのセンサ検知値を取り込み温度上昇判定を行う構成である。中継器４は、これに対応して後述する代表温度Ｔ０又は（Ｔ０＋ΔＴ）を床暖房コントローラ３に信号出力するように構成されている。なお、中継器４の物理的構成は、ＣＰＵ、ＲＯＭ、ＲＡＭ等を備えたマイコンを主要構成として実現することができる。
【００１２】
図４は、中継器４の操作・表示部の詳細を示す図である。同図において、操作・表示部１０は、各センサの温度上昇に基づく判定結果をＬＥＤで表示する系統別表示部１１ａ乃至１１ｆと、システム全体としての判定結果をＬＥＤで表示する試運転判定表示部１１ｇと、ディップスイッチ操作により閾値を設定する閾値設定部４ｅ、を備えている。なお、系統別表示部１１ａ乃至１１ｆは入力ポート９ａ乃至９ｆに対応し、後述するように床温センサの検知値に基づいてＬＥＤを点灯、点滅させるように構成されている。
【００１３】
次に、図３をも参照して、床暖房システム試運転装置１による試運転操作について説明する。試運転に先立ち、閾値（ΔＴ）の設定が行われる（ステップＳ１０１）。設定は、作業者が中継器４の入力部４ｅからディップスイッチ操作により所望の温度に切り替えることにより行うことができる。ここでは、ΔＴ＝３℃を設定するものとする。中継器４は、電源投入と同時に床暖コンローラ３に対して擬似温度信号（代表初期温度Ｔ０に該当する抵抗値）が送信する（ステップＳ１０２）。これを受けて床暖コンローラ３は現在温度をＴ０と認識し、さらに、後述するように最終的に中継器４から擬似温度信号（Ｔ０＋ΔＴに該当する抵抗値）が送信されたときに試運転正常終了と判定することになる。
【００１４】
次に、床暖房コントローラ３からの試運転信号が信号線Ｃ４を介して送られて熱源機２の燃焼が開始され、床暖房システム１の運転が開始される（ステップＳ１０３）。熱源機２内で所定の温度に上昇した温水は、循環ポンプ（図示せず）により温水配管Ｌ１、Ｌ３、Ｌ４を介して温水マット５，６に供給され、さらに温水配管Ｌ５、Ｌ６、Ｌ２を介して熱源機２に戻される。
【００１５】
次に、入力ポートごとにセンサの接続確認が行われる（ステップＳ１０４）。稼動状態判定は、センサの検出値（電圧値）が正常値として予め定めた所定の範囲内であるか否かにより行われる。次いで、全てのセンサが正常であるかが判定される（ステップＳ１０５）。この場合、検出値が正常なセンサについては該当する表示部のＬＥＤを点灯させ、異常なセンサについてはＬＥＤを点滅させる（ステップＳ１１４）。中継器４は、接続されているセンサのいずれか一つにでも異常があった場合、断線と判定して床暖房コントローラ３に無限大の抵抗値を送信する。これにより、試運転作業者は、誤配管や配管閉塞等の施工不良や信号線の誤配線、センサ不良等の異常の有無を確認することができ、異常原因の除去が可能となる（ステップＳ１１５）。異常の原因を除去して、全てのセンサが正常に稼動することを確認した後、各センサの初期値（Ｔi０）が順次入力部４ｅに取り込まれ、取り込まれたデータは、記憶部４ｆに格納される（ステップＳ１０６）。
【００１６】
初期値取込後、所定のインターバル（例えば１分毎）で各センサの温度検知値が入力部４ｅに取り込まれる（ステップＳ１０７）。さらに、試運転開始から制限時間（例えば1時間）を経過したかが判定される（ステップＳ１０８）。制限時間オーバーのときは、試運転終了ＬＥＤが点滅する（ステップＳ１１６）。これにより、試運転作業者は温水パネルが正常に昇温しないことを確認することができ、異常原因の追求が可能となる。
【００１７】
制限時間以内の場合には、次に、各センサの温度上昇の確認が行われる（ステップＳ１０９）。次いで、全てのセンサ温度検知値が（Ｔi０＋３）℃を超えたかが判定される（ステップＳ１１０）。この場合、閾値を超えたセンサについては、該当する表示部のＬＥＤが点灯表示される。閾値以下の場合には、該当する表示部のＬＥＤが点滅表示される（ステップＳ１１３）。次に、全てのセンサ温度が昇温条件を満たすときは試運転正常終了と判定され、試運転完了表示部１１ｇのＬＥＤが点灯する（ステップＳ１１１）。さらに、出力部４ｃから床暖房コントローラ３に対して擬似温度信号（Ｔ０＋３）が送信される（ステップＳ１１２）。床暖房コントローラ３は、この信号を受けて試運転が正常に終了したと判定する。
【００１８】
なお、上述の実施形態において示した各数値（温度上昇閾値、試運転開始からの制限時間、データ取り込みインターバル等）は例示であって、床暖房システムの設置状況に対応して任意の数値を選択することができる。
【産業上の利用可能性】
【００１９】
本発明は、床暖房コントローラを用いる床暖房システムに広く適用可能である。
【図面の簡単な説明】
【００２０】
【図１】本発明の一実施形態に係る床暖房システム試運転装置１を示す図である。
【図２】本発明の一実施形態に係る中継器４の制御ブロックを示す図である。
【図３】床暖房システム試運転装置１の試運転判定フローを示す図である。
【図４】中継器４の操作・表示パネル部を示す図である。
【符号の説明】
【００２１】
１          床暖房システム試運転装置
２          熱源機
３          床暖房コントローラ
４          中継器
５，６      温水マット
７，８      床温センサ（サーミスタ）
Ｌ１〜Ｌ６  温水配管
Ｃ１〜Ｃ４  信号線
【図１】
2006098008.tif 000003
【図２】
2006098008.tif 000004
【図３】
2006098008.tif 000005
【図４】
2006098008.tif 000006